(57)【要約】      （修正有）【課題】端末を向けている目標物を特定し、カメラレンズで捉えた現場映像が映っている表示画面に、重ねて情報をリアルタイムに表示する。【解決手段】インターネットに接続している携帯端末１に付属しているＧＰＳ座標データや加速度センサーの機器の傾きデータや方位センサーの方位データからレンズを向けている方向の直線を解析し、３Ｄ地図情報と等高線地図情報と地域情報に当てはめることによって、機器のレンズを向けている目標物を特定し、その情報を、レンズで捉えた目標物の表示画面１３上に表示する。【選択図】図１
2016133504.tif 000002
【特許請求の範囲】
【請求項１】
インターネットに接続できる携帯端末機器に付属されている機器のＧＰＳ装置と加速度センサーと方位センサーとカメラレンズと表示機能を備える携帯端末機器を、インターネットに接続して、ＧＰＳの座標データと加速度センサーの傾きデータと方位センサーの方位データと、３Ｄ地図データと等高線地図データと住宅地図情報と地域情報と建物情報を使い解析して、携帯端末機器のカメラレンズを向けている目標物を特定し、携帯端末に付属しているカメラレンズで捉えた映像が映っている表示部に、重ねて目標物の情報をリアルタイムに表示する方法。
【請求項２】
現地で見つけたい目標物をインターネット上の地図データ上で登録することで、座標を特定し、請求項１記載の機能を利用して、カメラレンズで捉えた映像が映っている表示部に、目標物のある方向や位置を矢印などで表示して、そこまでの距離と角度を同時に表示して、目標物の位置を教えてくれる方法。
【発明の詳細な説明】
【技術分野】
【０００１】  本発明は、携帯できる携帯端末機器で、レンズで捉えた目標物が表示されている表示部へ、目標物の情報や目標物の位置を表示する方法に関する。
【背景技術】
【０００２】  従来、現場で目標物を探す場合、地図と照らし合わせて、目標物を目視で探す。【０００３】  携帯端末のＧＰＳ装置を利用し、携帯端末に表示された現場の地図と照らし合わせて目標物を目視で探す。【０００４】  目の前の建物などの名前や住所などの情報を知るには、看板や表札を探して特定する。【０００５】  遠くに見える山などの名前は、広域の地図と照らし合わせて探す。【０００６】  探したい目標物は、地図や携帯端末の地図と照らし合わせながら、現場で目視して探す。
【発明の開示】
【発明が解決しようとする課題】
【０００７】  しかしながら、従来の探し方は、現場に着いたら、地図と照らし合わせて探すことや、目視で看板や表札を探して、目標物を特定しなければならなかった。
【課題を解決するための手段】
【０００８】  本発明は、以上の欠点を解決するためになされたものである。【０００９】  （１）インターネットに接続できる携帯端末に付属されている機器のＧＰＳ装置と加速度センサーと方位センサーとカメラレンズと表示部を備える携帯端末を、インターネットに接続して、ＧＰＳの座標データと加速度センサーの傾きデータと方位センサーの方位データを、３Ｄ地図データと等高線地図データと住宅地図情報と地域情報と建物情報と解析して、端末を向けている目標物を特定し、カメラレンズで捉えた現場映像が映っている表示画面に、重ねて情報をリアルタイムに表示することができる。
（２）現地で見つけたい目標物を地図データ上で登録することで、座標や標高を特定し、現場で見ている前記（１）の表示部に重ねて目標物の位置を矢印などで表示して、そこまでの距離と角度を同時に表示して、現場映像が映っている表示画面を見ながら目標物の位置へ誘導してくれることができる。
【発明の効果】
【００１０】  本発明の携帯端末機器で表示部を見ながら目標物を特定する方法とは、インターネットに接続している携帯端末に付属しているＧＰＳ座標データや加速度センサーの機器の傾きデータや方位センサーの方位データからレンズを向けている方向の直線を解析し、３Ｄ地図情報と等高線地図情報と地域情報に当てはめることによって、機器のレンズを向けている目標物を特定し、その情報を、レンズで捉えた目標物の表示画面上に表示することができる。
このことによって、現場で地図を見なくても、携帯端末のレンズを向けるだけで、表示画面上で目標物を特定することができる。【００１１】遠くに見える山の名称も、携帯端末を向けることで、リアルタイムに名称などの情報を画面上で確認できる。【００１２】  目標物をあらかじめ登録することで、現場の携帯端末の表示画面に、矢印で目標物のある方向を示し、角度と距離を表示することで、目標物を携帯端末機器の表示部を見ながら見つけることができる。
【発明を実施するための最良の形態】
【００１３】  以下、本発明の実施の形態を図１〜図４に基づいて説明する。【００１４】  インターネットへの通信機能を持った携帯端末１に内蔵されているＧＰＳ機器や加速度センサーや方位センサーやレンズ２や表示部３の機能を使う。【００１５】  現場の携帯端末の座標４や携帯端末の傾き５や携帯端末を向けている方位６の情報を、インターネットを通して解析して、携帯端末のレンズ２を向けている方位６への直線７を解析する。【００１６】  等高線地図８より、現場の座標４から標高９を割り出す。【００１７】  ３Ｄ地図１０と現場の座標４と標高９を合わせて、傾き５や方位６で解析した直線７を、３Ｄ地図上１０の現場の座標４から直線７を引く。【００１８】  ３Ｄ地図上１０で引いた直線７が３Ｄ地図上で当たる目標物１１の座標１２を割り出す。【００１９】  ３Ｄ地図１０に引いた直線７が当たった座標にある目標物１１の情報を、現場の携帯端末１のレンズ２で映っている表示部３へ重ねて表示１３させる。【００２０】  あらかじめ目標物１４を登録した場合、目標物１４の座標１５と、現場でレンズを向けている直線１６が３Ｄ地図上で当たる座標１７から、目標物１４の角度１８と距離１９を解析し、現場の携帯端末のレンズで映っている表示画面１８へ、目標物１５までの方向を、矢印２０と角度１８と距離１９を重ねて表示２１する。
【図面の簡単な説明】
【００２１】
【図１】本発明の実施方法を示した図
【図２】３Ｄ地図上で本体を上から見て３Ｄ地図へ示した図
【図３】３Ｄ地図上で本体を横から見て等高線地図と３Ｄ地図へ示す直線を引いた図
【図４】あらかじめ目標物を設定した場合の実施方法を示した図
【符号の説明】
【００２２】１    携帯端末
２    携帯端末のレンズ
３    携帯端末の表示部
４    携帯端末の座標
５    携帯端末の傾き
６    携帯端末のレンズを向けている方位
７    携帯端末のレンズを向けている直線
８    等高線地図
９    携帯端末の標高
１０  ３Ｄ地図
１１  ３Ｄ地図上で直線が当たっている目標物
１２  ３Ｄ地図上で直線が当たっている目標物の座標
１３  携帯端末の表示部に直線が当たっている座標にある目標物の情報の表示
１４  あらかじめ設定したときの目標物
１５  あらかじめ設定したときの目標物の座標
１６  レンズを向けている方向へ引いた直線
１７  レンズを向けている方向へ引いた直線の当たっている座標
１８  レンズを向けている方向へ引いた直線の当たる座標から目標物までの角度
１９  携帯端末のある座標からあらかじめ設定したときの目標物の座標までの距離
２０  レンズを向けている方向へ引いた直線の当たる座標から、あらかじめ設定したとき      の目標物の座標方向への矢印
２１  携帯端末の表示部にレンズで映している映像と１８と１９と２０が表示されている      表示部
【図１】
2016133504.tif 000003
【図２】
2016133504.tif 000004
【図３】
2016133504.tif 000005
【図４】
2016133504.tif 000006